(57)【要約】【課題】  特に運動と娯楽効果を有する運動用バランス器具を提供する。【解決手段】  本考案の運動用バランス器具は、可塑性材質から成る空気が充填可能なエアクッション（１０）有し、該エアクッション（１０）に水平状の支持部（１１）及び該支持部（１１）の周縁を覆う球面（１２）が設けられると共に、該球面（１２）と支持部（１１）との間に密閉状の空気充填空間（１３）が設けられ、更に、該支持部（１１）の内面に、支持部（１１）を支持する支持板（１５）が設置されることを特徴とする。【選択図】  図１
0003102677.tif 000002
【実用新案登録請求の範囲】
【請求項１】
可塑性材質から成る空気が充填可能なエアクッション（１０）有し、該エアクッション（１０）に水平状の支持部（１１）及び該支持部（１１）の周縁を覆う球面（１２）が設けられると共に、該球面（１２）と支持部（１１）との間に密閉状の空気充填空間（１３）が設けられ、更に、該支持部（１１）の内面に、支持部（１１）を支持する支持板（１５）が設置されることを特徴とする運動用バランス器具。
【請求項２】
前記球面（１２）の表面に複数の突起（１６）が設けられることを特徴とする請求項１に記載の運動用バランス器具。
【請求項３】
前記球面（１２）に空気注入口（１４）が設けられることを特徴とする請求項１又は２に記載の運動用バランス器具。
【考案の詳細な説明】
【技術分野】
【０００１】
本考案は、特に運動と娯楽効果を有する運動用バランス器具に関するものである。
【背景技術】
【０００２】
一般の運動器具は、使用効果に優れないとの問題を有し、例えば、従来の運動用バランスマットは、可塑性材質によりマット状に構成され、互いに対応し合う上表面及び下表面を有すると共に、周囲にそれら上表面及び下表面により側面が構成され、更に、上表面及び下表面と側面との間に空気充填空間が設けられ、上表面の表面に滑り止め用の突起が設けられると共に、下表面に空気注入口が設けられることにより、実用性に優れた多用途の運動用器具を得た（特許文献１を参照）。       
【特許文献１】中華民国実用新案出願第９０２０２６４５号「運動用バランスマット」
【考案の開示】
【考案が解決しようとする課題】
【０００３】
しかし、前記従来の運動用バランスマットは、上下表面が共に可塑性材質から成ることから、使用者が上表面上でバランス運動やバランス訓練をすると、下表面が変形し、マットが移動して安定した位置決めが達成できない場合があり、最悪の場合には使用者がマットから滑り落ちて負傷する恐れがある。
【課題を解決するための手段】
【０００４】
本考案は、可塑性材質から成る空気が充填可能なエアクッション（１０）有し、該エアクッション（１０）に水平状の支持部（１１）及び該支持部（１１）の周縁を覆う球面（１２）が設けられると共に、該球面（１２）と支持部（１１）との間に密閉状の空気充填空間（１３）が設けられ、更に、該支持部（１１）の内面に、支持部（１１）を支持する支持板（１５）が設置されることを特徴とする運動用バランス器具、を提供する。
【考案の効果】
【０００５】
本考案は、空気が充填可能なエアクッション有し、該エアクッションに水平状の支持部及び該支持部内に一体に結合される支持板が設けられると共に、エアクッションの支持板と異なる側に球面が設けられる。これにより、該支持部が水平状に支持されると共に、運動用バランス器具を地面に置いた時の安定性が向上し、該バランス器具が移動してしまう問題を解決できる。また、若し支持部を上側へ向くように使用する場合は、支持部は水平状態となるので、使用者は非常にバランスを取り易い。   
更に、本考案では前記の目的を達成するために、可塑性材質から成るエアクッションを用い、該エアクッションに水平状の支持部及び該支持部の周縁を覆う球面を設けると共に、該球面と支持部との間に密閉状の空気充填空間を設け、更に、該支持部の内面に、支持部を水平状に支持する支持板を設置した。     
それにより、本考案は以下に示すような効果を達成することができた。
【０００６】
１． 本考案では、支持部により支持板が一体となるように被着され、該支持板は適度な硬さを有するプラスチック材であるので、支持部を水平状に保持することができると共に、地面との接触による変形を極力抑えることによって、より安定性が向上する。更に、支持部を上側へ向くように使用する場合は、使用者に優れたバランス効果を提供できる。故に、使用上の安定性だけでなく、安全性も向上する。
【０００７】
２． 本考案のエアクッションには、該エアクッションを水平状に保持するための支持部が設けられているので、空気充填空間内の注入する空気量にかかわらず、エアクッションの使用時の安定性をより向上させることができると共に、安定性を保持したまま空気注入量によりエアクッションの硬さを自由に調整することができる。
【考案を実施するための最良の形態】
【０００８】
以下、添付図面を参照して本考案の好適な実施の形態を詳細に説明する。
【実施例】
【０００９】
図１は本考案に係る運動用バランス器具の正面断面図であり、図２は本考案に係る運動用バランス器具の斜視透視図であり、図３は本考案に係る運動用バランス器具の使用状態を示す図であり、図４は本考案に係る運動用バランス器具の他の使用状態を示す図であり、図５は本考案に係る運動用バランス器具の更に他の使用状態を示す図であり、図６は本考案に係る運動用バランス器具の他の実施例を示す正面断面図である。     
図１及び図２に示すように、本考案の運動用バランス器具は可塑性材質から成る空気が充填可能なエアクッション（１０）有し、該エアクッション（１０）に水平状の支持部（１１）及び該支持部（１１）の周縁を覆う球面（１２）が設けられると共に、該球面（１２）と支持部（１１）との間に密閉状の空気充填空間（１３）が設けられ、更に、球面（１２）における、支持部（１１）と異なる側の中央に空気注入口（１４）が設けられると共に、該支持部（１１）の内面に適度な硬さのプラスチック材から成る支持板（１５）が一体に溶着される。     
図３に示すように、本考案の運動用バランス器具を、エアクッション（１０）の支持部（１１）が地面（２０）側となるように使用する場合は、該支持部（１１）は水平状態で地面（２０）に張り付き、支持部（１１）と地面（２０）に十分な面積を有するので、使用者（３０）がエアクッション（１０）の球面（１２）に仰向けになり使用する時は、支持部（１１）内に設けられる支持板（１５）により適度な定形効果を提供できると共に、エアクッション（１０）の移動を最小限に抑えることができる。故に、運動用バランス器具の使用時の安定性をより向上させることができる。     
図４及び図５に示すように、前記エアクッション（１０）の支持部（１１）上においてバランス運動を行なう場合は、支持部（１１）を上側へ向けて地面（２０）に置けば、球面（１２）で地面（２０）を支持できると共に、支持板（１５）で支持部（１１）に適当な支持効果を与えることができる。このことから、使用時には支持部（１１）が水平状を成すので、使用者（３０）は簡単に且つ安全に平面の支持部（１１）上でバランス運動やバランス訓練を行なうことができる。     
また、図６に示すように、本考案の他の実施例では、エアクッション（１００）における球面（１２０）の表面に複数の突起（１６）が設けられると共に、支持部（１１０）を安定的に地面（２０）上に置くことができ、更に、空気注入口（１４０）の設置により空気充填空間（１３０）内に空気を多めに注入することによって、球面（１２０）を硬い状態にすることができるので、使用者（３０）に対して突起（１６）により按摩の効果を提供できる。尚、本考案によれば該空気充填空間（１３０）内の空気の量を調整することにより、エアクッション（１００）の硬さを制御できるので、使用者にあらゆる作用効果を提供できる。
【図面の簡単な説明】
【００１０】
【図１】本考案に係る運動用バランス器具の正面断面図である。
【図２】本考案に係る運動用バランス器具の斜視透視図である。
【図３】本考案に係る運動用バランス器具の使用状態を示す図である。
【図４】本考案に係る運動用バランス器具の他の使用状態を示す図である。
【図５】本考案に係る運動用バランス器具の更に他の使用状態を示す図である。
【図６】本考案に係る運動用バランス器具の他の実施例を示す正面断面図である。
【符号の説明】
【００１１】
１０，１００        エアクッション
１１，１１０        支持部
１２，１２０        球面
１３，１３０        空気充填空間
１４，１４０        空気注入口
１５        支持板
１６        突起
２０        地面
３０        使用者
【図１】
0003102677.tif 000003
【図２】
0003102677.tif 000004
【図３】
0003102677.tif 000005
【図４】
0003102677.tif 000006
【図５】
0003102677.tif 000007
【図６】
0003102677.tif 000008